(57)【要約】【課題】居室の雰囲気に合いインテリア足り得るものであって、抗菌能力等の新たな能力を付加することが出来る、カートンカバーを提供すること。【解決手段】カバー本体１０は、一対の長手側面部及び一対の短手側面部が、その下側で内側に折り込まれた折込部を備える複層構造を有し、その折込部は、折込・伸開可能に設けられ、且つ、折込部の先端には、更に折り曲げられて天面部の内面の押圧を行い得る押さえ代が備わり、折込部の折込・伸開によって、天面用シート２０が、カバー本体１０の天面部の内面に、着脱自在に配設されるカートンカバー１の提供による。【選択図】図１３
2008207832.tif 000002
【特許請求の範囲】
【請求項１】
上面に開口が形成されたカートンの外面を覆うカートンカバーであって、
開口が形成された天面部、一対の長手側面部、及び一対の短手側面部で構成されるカバー本体と、そのカバー本体とは別に、前記カバー本体の天面部と同じ形状又は小さい形状の天面用シートを具備し、
前記カバー本体は、前記一対の長手側面部及び一対の短手側面部のうち、少なくとも何れかが、その下側で内側に折り込まれた折込部を備える複層構造を有し、その折込部は、折込・伸開可能に設けられ、且つ、前記折込部の先端には、更に折り曲げられて前記天面部の内面の押圧を行い得る押さえ代が備わり、
前記折込部の折込・伸開によって、前記天面用シートが、前記カバー本体の天面部の内面に、着脱自在に配設されるカートンカバー。
【請求項２】
前記押さえ代が、２以上に分かれて前記折込部に備わる請求項１に記載のカートンカバー。
【請求項３】
前記天面用シートが開口を有するとともにその開口を被覆するように配設されたウインドウフィルムを備え、又は、前記天面用シートがウインドウフィルムを兼ねており、
前記ウインドウフィルムにスリットが形成されている請求項１又は２に記載のカートンカバー。
【請求項４】
前記天面用シートが、抗菌、芳香、脱臭、及び防虫のうち、少なくとも何れかの効果を発現する材料で形成されている請求項１〜３の何れか一項に記載のカートンカバー。
【請求項５】
前記ウインドウフィルムが、抗菌、芳香、脱臭、及び防虫のうち、少なくとも何れかの効果を発現する材料で形成されている請求項３又は４に記載のカートンカバー。
【請求項６】
前記カバー本体が、紙、ポリエチレンテレフタレート、ポリエチレン、ポリプロピレン、及び生分解性プラスチックのうち、何れかの材料で形成されている請求項１〜５の何れか一項に記載のカートンカバー。
【請求項７】
前記カバー本体の前記一対の長手側面部及び一対の短手側面部のうち、少なくとも何れかに、エンボス加工が施されている請求項１〜６の何れか一項に記載のカートンカバー。
【請求項８】
外面を覆う対象である前記カートンが、家庭用薄葉紙を収納する箱である請求項１〜７の何れか一項に記載のカートンカバー。
【請求項９】
前記天面部の開口を被覆するように配設されたウインドウフィルムを備える請求項１〜８の何れか一項に記載のカートンカバー。
【発明の詳細な説明】
【技術分野】
【０００１】
本発明は、直方体の収納箱であるカートンの外面を覆うカートンカバーに関する。
【背景技術】
【０００２】
ティシュは、脱脂性や吸水性に優れ、清潔感があり、安価で、利便性があることから、鼻をかむ、口元を拭く、化粧を落とす、食品を包む又は置く、埃を掃う、汚れを拭き取る等のあらゆる用途に使用されている。ティシュは、現代の生活に密着した、なくてはならないものとなっており、多くの家庭では、各部屋毎に、更には自動車内にも、常備されている。
【０００３】
このようなティシュは、通常、厚紙で作られた直方体の箱（カートンともいう）に収納されて流通しており、そのカートンの外面には、その商品の出所や商品の機能を示す文字等が表現されている。この文字等は、販売者等と消費者とを結びつける上で重要な役割を果たすが、一方、消費者が購入した後には、必ずしも粋とはいえないそのデザインによって、配置場所の雰囲気にそぐわない場合がある。
【０００４】
そこで、従来より、カートンカバーが販売され、消費者のニーズを満足させている。カートンカバーとしては、木やプラスチックや金属を使用したシンプルでモダンなものや、布を使用して花柄等をあしらい色彩を駆使した派手で鮮やかなもの、等が知られる。これらは、ティシュペーパーカートンをインテリア足り得るものとするために、居室の雰囲気に合致させ溶け込ませるように、その視覚性を改善することに重きをおいた製品である。又、紐や接着剤あるいはフック＆ストラップ等によって、壁掛けないしは釣り掛けを可能にしたカートンカバーがある。このようなものは、ティシュを、キッチンや洗面室あるいは自動車内に設置する際に、重用されている。更には、抗菌能力や、芳香あるいは脱臭、防塵、防虫の能力を付加し、ティシュを置くことによって部屋の衛生を向上させ得る製品も存在する。
【０００５】
カートンカバーにかかる技術の先行文献として、例えば特許文献１〜７が挙げられる。特許文献１及び特許文献２に開示されたティシュペーパーボックス用カバーは、左右の短手側壁面部に係止爪を設けることによって、ボックスとカバーの一体性を高め、移動時にカバーからティシュペーパーボックスが外れないようにしたものである。特許文献３に開示されたティシュ製品ケースは、ティシュ製品を収納する収納部と、ティシュ製品を詰め替えるための収納部口と、ティシュを引き出すための取り出し孔と、を有することによって、無箱状のティシュ製品を繰り返し使用可能としたものである。特許文献４に開示されたティシュ箱用カバーは、カバーとして光触媒材料を用いることによって、消臭効果を発現させたものである。特許文献５に開示された詰替用ティシュボックスは、ティシュペーパー束の収容部と、ティシュペーパー束を収容部へ収容するための補充口と、ティシュペーパーの取出口と、を有し、更に補充用ティシュペーパーの包装袋の切断片取出口が形成されていることによって、ティシュペーパー束の乱れを防止しつつ簡単にティシュペーパー束を補充出来るものである。特許文献６に開示されたティシュボックス用カバーは、布素材のカバー本体と、凹凸状のティシュペーパー取り出すための引出口と、を備えることによって、枚数が少なくなってもティシュペーパーを引出口に保持され易くしたものである。特許文献７に開示されたティシュペーパーボックス用カバーは、前後の長手側壁面部を結合するための結合腕部及び結合腕受け部と、左右の短手側壁面部を折り込むと、を有することによって、容易に組み立て可能とした、少ない紙資源で得られるカバーである。
【０００６】
【特許文献１】特開平１０−２３４６１６号公報
【特許文献２】実用新案登録第３０４４４５９号公報
【特許文献３】特開２０００−３３９７８号公報
【特許文献４】実用新案登録第３０７４８３９号公報
【特許文献５】特開２００１−３４０２５７号公報
【特許文献６】特開２００４−１１５１１５号公報
【特許文献７】実用新案登録第３１０３５４６号公報
【発明の開示】
【発明が解決しようとする課題】
【０００７】
本発明は、このような事情の中でなされたものであり、本発明の課題は、従来のカバーの課題と同じく、居室の雰囲気に合いインテリア足り得るものであって、抗菌能力等の新たな能力を付加することが出来る、カートンカバーを提供することにあり、本発明は、全く新たな手段によって、この課題を解決しようとするものである。研究が重ねられた結果、以下に示す手段によって、上記課題が達成できることが見出された。
【課題を解決するための手段】
【０００８】
即ち、本発明によれば、上面に開口が形成されたカートンの外面を覆うカートンカバーであって、開口が形成された天面部、一対の長手側面部、及び一対の短手側面部で構成されるカバー本体と、そのカバー本体とは別に、カバー本体の天面部と同じ形状又は小さい形状の天面用シートを具備し、カバー本体は、一対の長手側面部及び一対の短手側面部のうち、少なくとも何れかが、その下側で内側に折り込まれた折込部を備える複層構造を有し、その折込部は、折込・伸開可能に設けられ、且つ、折込部の先端には、更に折り曲げられて天面部の内面の押圧を行い得る押さえ代が備わり、折込部の折込・伸開（及び押さえ代の押圧）によって、天面用シートが、カバー本体の天面部の内面に、着脱自在に配設されるカートンカバーが提供される。
【０００９】
本発明に係るカートンカバーは、通常の使用態様において、カートンの外面を上から覆うカバーである。本明細書において、外面を覆う対象であるカートンとは、木材パルプ、古紙等を原料とする厚紙等の紙材料を主原料としてなる、収納物を収容する箱（収納箱）をいう。但し、収容物自体は、本発明を特定する事項ではない。上記の通り、カートンの上面に開口が形成されているものとするが、その開口は、収納物の取出口に該当するものである。本発明に係るカートンカバーでは、カートンの開口に合わせて、カバー本体の天面部に開口が形成され、更に天面用シートにも開口が形成される場合がある。本発明に係るカートンカバーでは、天面用シートが、カバー本体の天面部の内面に配設されるが、その態様において、カートンの開口及びカバー本体の開口（更には後述する天面用シートのスリット）は連通するので、カートンの外面をカートンカバーで覆ったときに、容易にカートンの中から収容物を取り出すことが出来る。
【００１０】
カバー本体とは別に天面用シートを具備し、とは、カバー本体と天面用シートとが分離独立したものであることを意味する。天面用シートがカバー本体の天面部と同じ形状又は小さい形状を呈するのは、天面用シートはカバー本体の天面部の内面に配設されるものであり、その配設を容易にするためである。
【００１１】
一対の長手側面部及び一対の短手側面部のうち少なくとも何れか、であるから、一対の長手側面部及び一対の短手側面部の両方において、その下側で内側に折り込まれた折込部が備わり、その折込部の先端に押さえ代が備わっていてもよく、そのような態様は好ましい態様である。
【００１２】
その下側とは、通常の使用態様において、折込部を備えている長手側面部及び短手側面部の下側を指す。内側とは、カバー本体の、天面部、一対の長手側面部、及び一対の短手側面部で囲われた空間の側を指し、内面とは、その空間の側の面を指す。押さえ代が備わる折込部の先端とは、折込部において折られている部分（通常の使用態様において下側）とは反対側の端を指す。複層構造とは、折込部が折り込まれることによって、長手側面部及び短手側面部の外面を形成する部分と併せて、２以上の層になることを表現したものである。
【００１３】
折込部が折込・伸開可能であるとは、折込部を、内側に折り込むこと、及び、伸ばして開くこと、が自由に可能であることを意味する。折込部を伸ばして開いたときには、折込部の先端に備わる押さえ代も天面部の内面から離れることになる。即ち、この折込部を伸ばして開いたときに、天面用シートをカバー本体の天面部の内面に密着させ、その後、折込部を内側に折り込み、押さえ代によって、天面部の内面に密着させた天面用シートの上から、押圧をすることによって、天面用シートをカバー本体の天面部の内面に固定することが出来る。一方、この状態から、折込部を伸ばして開くと、折込部の先端の押さえ代が天面用シート（カバー本体の天面部）から離れ押圧しなくなるので、容易に天面用シートを取り出すことが出来る。天面用シートが着脱自在に配設されるとは、このような態様、あるいは、このような機能を発現し得るものであることを意味する。
【００１４】
本発明に係るカートンカバーにおいては、上記押さえ代が、２以上に分かれて折込部に備わることが好ましい。
【００１５】
本発明に係るカートンカバーにおいては、天面用シートが開口を有するとともにその開口を被覆するように配設されたウインドウフィルムを備え、又は、天面用シートがウインドウフィルムを兼ねており、そのウインドウフィルムにスリット（直線状の切れ目）が形成されていることが好ましい。
【００１６】
天面用シートがウインドウフィルムを兼ねているとは、天面用シート自体がウインドウフィルムを構成している態様であることを意味する。
【００１７】
本発明に係るカートンカバーにおいては、天面用シートが、抗菌、芳香、脱臭、及び防虫のうち、少なくとも何れかの効果を発現する材料で形成されていることが好ましい。
【００１８】
本発明に係るカートンカバーにおいては、ウインドウフィルムを備える場合には、そのウインドウフィルムが、抗菌、芳香、脱臭、及び防虫のうち、少なくとも何れかの効果を発現する材料で形成されていることが好ましい。
【００１９】
天面用シート及びウインドウフィルムを、抗菌、芳香、及び脱臭の効果を発現する材料で形成するには、天面用シート及びウインドウフィルムの主原料に抗菌、芳香、及び脱臭の効果を発現する原料を煉りこんで成形したり、抗菌、芳香、脱臭、及び防虫の効果を発現する原料で形成された別体の繊維等を積層したり、抗菌、芳香、及び脱臭の効果を発現する塗料を塗布する等の手段を採用することが出来る。抗菌効果を発現する材料として酸化チタン、キトサン等、芳香効果を発現する材料として天然のヒノキやヒバ等の植物抽出エキス等、各種化学合成材料、脱臭効果を発現する材料として活性炭等の高表面積物質、各種化学吸着剤、防虫効果を発現する材料としてショウノウ、ナフタリン、をそれぞれ挙げることが出来る。
【００２０】
本発明に係るカートンカバーにおいては、カバー本体が、紙、ポリエチレンテレフタレート、ポリエチレン、ポリプロピレン、及び生分解性プラスチックのうち、何れかの材料で形成されていることが好ましい。又、これら材料に、布、撥水性布、和紙等を貼り合せたものを用いてもよい。更に、表面に、樹脂（フッ素樹脂）、高分子化合物、例えばポリエチレンテレフタレート、ポリテトラフルオロエチレン、ポリエチレン等をコーティングすることによって、耐水、耐油、撥水の機能を付加してもよい。
【００２１】
紙としては、白板紙、色板紙、黄色紙、古紙利用のチップボール等の紙器用板紙を用いることが好ましい。生分解性プラスチックは、バクテリアをはじめとする微生物、あるいは酵素等の作用によって分解されるプラスチックである。例えば、ポリ乳酸、ポリブチレンサクシネート、ポリブチレンアジペート、ポリエチレンサクシネート、ポリカプロラクトン、ポリビニルアルコール等を挙げることが出来る。
【００２２】
本発明に係るカートンカバーにおいては、カバー本体の一対の長手側面部及び一対の短手側面部のうち、少なくとも何れかに、エンボス加工が施されていることが好ましい。
【００２３】
少なくとも何れか、であるから、一対の長手側面部及び一対の短手側面部の両方にエンボス加工が施されていてもよく、天面部、一対の長手側面部のうちの一方、一対の短手側面部のうちの一方にエンボス加工が施されていてもよい。より好ましい態様は、一対の長手側面部及び一対の短手側面部の両方にエンボス加工が施されているものである。
【００２４】
本明細書におけるエンボス加工とは、（カバー本体の）表面に凹凸をつける加工のことをいう。エンボス加工は、カバー本体が紙で形成される場合には、凹凸面を構成したキャビティを有する型を使用し、型押しすることによって行うことが出来る。これは、両面又は片面に押し罫を形成することに等しい。カバー本体がプラスチック（ポリエチレンテレフタレート及び生分解性プラスチックを含む）で形成される場合には、成形の際に凹凸が形成されるような型を使用したり、紙と同様に成形後に型押ししてもよい。凹凸によって、文字、点字、絵柄、図形等を表すことが好ましい。
【００２５】
本発明に係るカートンカバーにおいては、外面を覆う対象であるカートンが、家庭用薄葉紙を収納する箱であることが好ましい。
【００２６】
本明細書において、家庭用薄葉紙とは、ティシュペーパー（顔ふき紙、化粧紙等と呼ばれるもの）、ちり紙、ペーパータオル（キッチンペーパー等）、トイレットペーパー（ロールを除く）、ワッティング（紙綿）等の使い捨て紙を総称する概念である。
【００２７】
本発明に係るカートンカバーは、（カバー本体の）天面部の開口を被覆するように配設されたウインドウフィルムを備えることが好ましい。即ち、カバー本体にウインドウフィルムを設ける態様も好ましいものである。
【発明の効果】
【００２８】
本発明に係るカートンカバーは、カバー本体の一対の長手側面部及び一対の短手側面部のうち少なくとも何れかに折込部を備えるとともに、カバー本体とは独立して天面用シートを具備しており、その天面用シートが、カバー本体に備わる折込部の折込・伸開によって、カバー本体の天面部の内面に着脱自在に配設されるので、その天面用シートの交換によって、容易にカートンカバーに新たな機能を付加しすることが出来る。そのため、カートンカバーを使い捨てにすることなく、カートンカバーの付加機能を変更することが可能である。従来は、交換可能なシートを備えたカートンカバーは存在していなかった。それが故に、付加機能が抗菌であるカートンカバーを芳香機能があるものに代えたいときや、付加機能がないカートンカバーから脱臭機能があるものに代えたいとき等には、せっかくカバー自体のデザインが気に入っていても、それまでのカバーを廃棄し、新たに購入するしか方法がなかった。本発明に係るカートンカバーによれば、そのような無駄が生じず、廃棄物低減の観点から環境にも優しいものということが出来る。
【００２９】
本発明に係るカートンカバーは、その好ましい態様において、押さえ代が、２以上に分かれて折込部に備わるので、折込部の折込・伸開が行い易く、天面用シートの交換を簡単にすることが出来る。
【００３０】
本発明に係るカートンカバーは、その好ましい態様において、天面用シートが、自らの開口を被覆するように配設されたウインドウフィルムを備え、そのウインドウフィルムにスリットが形成されているので、カートン収容物をスリットで保持することが出来るとともに、粉塵のカートン内への進入が防止される。外面を覆う対象であるカートンがティシュペーパーを収納する箱（ティシュペーパーカートン）である場合には、そのカートン自体の開口にもスリットを形成したウインドウフィルムが備わる場合があり、この場合には、２重のフィルム（スリット）によって、確実に、ティシュペーパーが保持され、粉塵の進入が防止される。本発明に係るカートンカバーの好ましい態様によれば、枚数が少なくなったときにティシュペーパーがカートン内へ落下してしまい、ティシュペーパーを取り出し難くなるという問題は生じない。又、ティシュペーパーのカートンがフィルムレスである場合には、本発明に係るカートンカバーにおけるスリットを形成したウインドウフィルムのみで、ティシュペーパーを保持することが出来る。ティシュペーパーカートンとしてフィルムレスカートンが採用される理由は、廃棄時に、紙のカートンと、フィルムと、の分別作業をなくすためであるが、本発明に係るカートンカバーの好ましい態様においては、天面用シートに、又は天面用シートとして、スリットが形成されたウインドウフィルムを備えており、この天面用シートは、元々、カバー本体と分離していて、廃棄時に分別する必要はなく、加えて、着脱可能なものであるから、ウインドウフィルムが不要な場合には、これを廃棄せずに保存し、別のものを使用する、といった選択が可能である。
【００３１】
本発明に係るカートンカバーは、その好ましい態様において、天面用シートとウインドウフィルムが、抗菌、芳香、脱臭、及び防虫のうち、少なくとも何れかの効果を発現する材料で形成されているので、カバーをかけることによって雰囲気の衛生を向上させ得る。
【００３２】
本発明に係るカートンカバーは、その好ましい態様において、カバー本体が、紙、ポリエチレンテレフタレート、ポリエチレン、ポリプロピレン、及び生分解性プラスチックのうち、何れかの材料で形成されているので、再利用が容易であり、廃棄物が低減され、環境負荷を軽減することが可能である。
【００３３】
本発明に係るカートンカバーは、その好ましい態様において、カバー本体の一対の長手側面部及び一対の短手側面部のうち、少なくとも何れかに、エンボス加工が施されているので、このエンボスを視覚的な及び触覚的な目印として、カートンカバーを触る人の行為を誘導することが出来る。例えば、把持して欲しい場所（把持し易い場所）にエンボス加工を施しておけば、人間は本能的に、他と異なる表面状態の当該エンボス加工が施された部分を触ろうとするから、把持場所を固定することが可能となる。又、エンボスを点字とすれば、盲目者の情報伝達に役立つ。更には、エンボス加工された部分は、把持する際の滑り止め効果も発現する。加えて、紙製のカートンカバーの場合には、エンボス加工を施すことによって、紙が部分的に圧縮され、層間剥離の発生（切れや破れの発生）を抑制するとともに、構造体としてのカートンカバーの強度向上が図れ、潰れや坐屈の発生を抑制する効果がある。
【発明を実施するための最良の形態】
【００３４】
以下、本発明について、適宜、図面を参酌しながら、実施の形態を説明するが、本発明はこれらに限定されて解釈されるべきものではない。本発明の要旨を損なわない範囲で、当業者の知識に基づいて、種々の変更、修正、改良、置換を加え得るものである。例えば、図面は、好適な本発明の実施の形態を表すものであるが、本発明は図面に表される態様や図面に示される情報により制限されない。本発明を実施し又は検証する上では、本明細書中に記述されたものと同様の手段若しくは均等な手段が適用され得るが、好適な手段は、以下に記述される手段である。
【００３５】
図１〜図１４は、本発明に係るカートンカバーの一の実施形態を示す図である。図１は、例えば白板紙からなる組立て式のカバー本体を組み立てる前の展開図であり、カートンブランクを表した図である。図２は、天面用シートの一例を示す平面図であり、図３は、天面用シートの他例を示す平面図である。図４は、上方からみたカバー本体の斜視図であり、図５は、下方からみたカバー本体の斜視図である。図６は、カバー本体の平面図（上面図）であり、図７は、カバー本体の底面図（下面図、実際には底面は存在しない）である。図８は、図６におけるＡＡ断面を示す断面（矢視）図であり、図９は、図６におけるＢＢ断面を示す断面（矢視）図である。図１０は、カバー本体の正面図（長手側面を表した図、裏面も同じ）であり、図１１は、カバー本体の左側面図（短手側面を表した図、右も同じ）である。図１２及び図１３は、図２に示される天面用シートをカバー本体に配設したカートンカバーの図であり、図１２は上方からみた斜視図（図４に相当する図）であり、図１３は下方からみた斜視図（図５に相当する図）である。図１４は、カートンがティシュペーパーカートン４１である場合の、本発明に係るカートンカバーの使用状態を示す図であり、図９に相当する断面図である。
【００３６】
図１、図４〜図１１に示されるカバー本体１０は、図２に示される天面用シート２０とともに、上面にティシュペーパーの取出口（開口）が形成されたティシュペーパーカートン４１の外面を上から覆うカートンカバー１（図１２〜図１４を参照）を構成するものである。このカバー本体１０は、ティシュペーパーカートン４１の取出口に通じるように開口２１が形成された天面部１１、一対の長手側面部１２，１３、及び一対の短手側面部１４，１５で構成されており、（一例として）白板紙で形成されている。
【００３７】
カバー本体１０において、長手側面部１２は、その下側で（図８及び図９を参照）内側に折り込まれた折込部２２を備える（図６〜図９を参照）。同様に、長手側面部１３は、その下側で内側に折り込まれた折込部２３を備え、短手側面部１４は、その下側で（図８及び図９を参照）内側に折り込まれた折込部２４を備え、短手側面部１５は、その下側で内側に折り込まれた折込部２５を備え、それぞれ複層構造をなしている（図６〜図９を参照）。
【００３８】
図１と図７及び図８とを対比させることで理解されるように、長手側面部１２の折込部２２は、長手側面部１２を折り込んで形成され、且つ、折込・伸開可能に設けられる。そして、折込部２２の先端（図１を参照）には、更に折り曲げられて天面部１１の内面の押圧をし得る押さえ代３２が備わる（図７を参照）。同様に、長手側面部１３の折込部２３は、長手側面部１３を折り込んで形成され、且つ、折込・伸開可能に設けられ、長手側面部１３の折込部２３の先端（図１を参照）には、更に折り曲げられて天面部１１の内面の押圧をし得る押さえ代３３が備わる（図５及び図７を参照）。
【００３９】
図１と図７及び図９とを対比させることで理解されるように、短手側面部１４の折込部２４は、短手側面部１４を折り込んで形成され、且つ、折込・伸開可能に設けられ、短手側面部１４の折込部２４の先端（図１を参照）には、更に折り曲げられて天面部１１の内面の押圧をし得る押さえ代３４が備わる（図７を参照）。短手側面部１５の折込部２５は、長手側面部１５を折り込んで形成され、且つ、折込・伸開可能に設けられ、短手側面部１５の折込部２５の先端（図１を参照）には、更に折り曲げられて天面部１１の内面の押圧をし得る押さえ代３５が備わる（図５及び図７を参照）。押さえ代３４，３５は、短手側であるので分割されていないが、長手側の押さえ代３２，３３は３つに分かれて形成されている。
【００４０】
カバー本体１０の長手側面部１２，１３及び短手側面部１４，１５は、それぞれエンボス加工が施されたエンボス加工部を有する。長手側面部１２，１３のエンボス加工部４２，４３は凹みによって表されており、閉じた輪郭線の中に形成された、長手側面部における横方向（Ｘ軸方向）に向いた多数の平行線で構成されている（図１、図４、図１０を参照）。短手側面部１４，１５のエンボス加工部４４，４５も凹みによって表されており、短手側面部における横方向（Ｙ軸方向）に向いた多数の平行線で構成され、エンボス加工部４４，４５の一部は、天面部１１にまで延長されている（図１、図４、図６、図１１を参照）。
【００４１】
カートンカバー１は、カバー本体１０とは独立している天面用シート２０を具備し、カバー本体１０の天面部１の内面に、天面用シート２０を配設している（図１２及び図１３を参照）。天面用シート２０は、カバー本体１０の天面部１１より僅かに小さな長方形を呈するものである。天面用シート２０は、（一例として）ポリ乳酸を主成分とする生分解性プラスチックで形成されたシートである。この天面用シート２０は、枠体を有さず、自らがウインドウフィルムを兼ね、ウインドウフィルムのみで構成されているシートであり、天面用シート２０には、収容物（ティシュペーパー）を取り出すためのスリット２が形成されている（図２を参照）。
【００４２】
天面用シート２０は、以下のようにして配設することが出来る。先ず、カバー本体１０において、折込部２２，２３，２４，２５を伸ばして開く。そうすると、折込部２２，２３，２４，２５の先端に備わる押さえ代３２，３３，３４，３５が天面部１１の内面から離れる。そこで、天面用シート２０を挿入して、カバー本体１０の天面部１１の内面に密着させる。そして、折込部２２，２３，２４，２５を内側に折り込み、押さえ代３２，３３，３４，３５によって、天面部１１の内面に密着させた天面用シート２０の上から押圧し、天面用シート２０をカバー本体１０の天面部１１の内面に固定する。
【００４３】
天面部１１の内面に固定されている状態において、天面用シート２０は、カバー本体１０の開口２１を塞ぐように設けられる。但し、天面用シート２０にはスリット２が形成されているから、カバー本体１０の天面部１１側は、そのスリット２によって開通している。従って、このスリット２を通じて、カートンカバー１で覆ったカートンの中の収容物を、カートンカバー１の外へ取り出すことが可能である。
【００４４】
天面用シート２０は、以下のようにして取り外すことが出来る。先ず、折込部を２２，２３，２４，２５伸ばして開く。そうすると、折込部２２，２３，２４，２５の先端の押さえ代３２，３３，３４，３５が天面用シート２０及びカバー本体１０の天面部１１から離れる。この状態で、簡単に天面用シート２０をカバー本体１０から取り出すことが可能である。
【００４５】
このように、天面用シートは着脱自在に配設されるものであるから、カートンカバー１において、カバー本体１０に、天面用シート２０の代わりに天面用シート３０を配設することも出来る。天面用シート３０は、天面用シート２０と同様に、収容物（ティシュペーパー）を取り出すためのスリット５が形成されている（図３を参照）ものであり、カバー本体１０の天面部１１より僅かに小さな長方形を呈するものである。一方、天面用シート３０は、開口を有する枠体３と、その枠体３の開口を被覆するように配設されたウインドウフィルム４を備える点で、天面用シート２０とは異なる。天面用シート３０は、（一例として）枠体３が色板紙で形成されウインドウフィルム４が酸化チタンを含有させたポリビニルアルコールを主成分とする生分解性プラスチックで形成されたシートである。
【００４６】
カートンカバー１は、（一例として）以下の方法によって製造することが出来る。先ず、白板紙を用意し、これを所定形状に切断し、カバー本体１０のカートンブランクを得る（図１を参照）。このとき、長手側面部１２，１３に、切込５２ａ，５２ｂ，５２ｃ，５２ｄを形成した係合部５１ａ，５１ｂ，５１ｃ，５１ｄを設けておく。併せて、押し型によって、折り曲げをするための折曲線（図１において破線で示された部分）を形成する。天面シート２０は、市販のポリ乳酸を主成分とする生分解性プラスチックシートを用意し、これを所定形状に切断するとともに、これに機械加工によってスリット２を形成する。
【００４７】
次いで、カートンブランクを折曲線に沿って折り曲げて組み立てていく。天面部１１に対して、長手側面部１２，１３及び短手側面部１４，１５を、それぞれ折り曲げる。そして、長手側面部１２，１３から係合部５１ａ，５１ｂ，５１ｃ，５１ｄをそれぞれ折り曲げ、切込５２ａと切込５２ｃを嵌め合わせて係合部５１ａと係合部５１ｃとを係合させるとともに、切込５２ｂと切込５２ｄを嵌め合わせて係合部５１ｂと係合部５１ｄとを係合させる。
【００４８】
その後、天面用シート２０を挿入し天面部１１の内面に密着させてから、既述のように、折込部を折り込む。即ち、長手側面部１２，１３及び短手側面部１４，１５に備わる折込部２２，２３，２４，２５を内側に折り込み、それぞれの押さえ代３２，３３，３４，３５によって押圧し、天面用シート２０をカバー本体１０の天面部１１の内面に固定することによって、カートンカバー１を得ることが出来る。
【００４９】
図１４に示されるように、カートンカバー１で、（一例として）フィルムレスのティシュペーパーカートン４１を覆った場合、ティシュペーパーカートン４１の上面に備わるティシュペーパー４０の取出口（開口）と、カートンカバー１の開口２１は重なって連通する。そして、カートンカバー１の開口２１には天面用シート２０が設けられ、その天面用シート２０にはスリット２が形成されている。従って、このスリット２を通じて、ティシュペーパー４０を、カートンカバー１で覆ったティシュペーパーカートン４１の中から、カートンカバー１の外へ、取り出すことが可能である。又、この際に、天面用シート２０のスリット２によって、次に取り出されるべきティシュペーパー４０は確実に保持される。
【００５０】
次に、図１５〜図１８は、本発明に係るカートンカバーの他の実施形態を示す図である。図１５は、例えば色板紙からなる組立て式のカバー本体を組み立てる前の展開図であり、カートンブランクを表した図である。図１６は、天面用シートの他例を示す平面図である。図１７は、上方からみたカバー本体の斜視図であり、図１８は、下方からみたカバー本体の斜視図である。
【００５１】
図１５、図１７及び図１８に示されるカバー本体１１０は、図１６に示される天面用シート１３０とともに、上面にティシュペーパーの取出口（開口）が形成されたティシュペーパーカートンの外面を上から覆うカートンカバーを構成するものである。このカバー本体１１０は、ティシュペーパーカートンの取出口に通じるように開口１２１が形成された天面部１１１、一対の長手側面部１１２，１１３、及び一対の短手側面部１１４，１１５で構成されており、（一例として）色板紙で形成されている。
【００５２】
カバー本体１１０は、２つのティシュペーパーを覆うことが出来るものであり、長手側面部１１２，１１３及び一対の短手側面部１１４，１１５のＺ軸方向の長さが、既述のカバー本体１０と比して長い。そして、カバー本体１１０の長手側面部１１２，１１３のエンボス加工部１４２，１４３は、それぞれが２つに分かれて形成されている。カバー本体１１０は、これら以外はカバー本体１０に準じた形態をなしている。即ち、長手側面部１１２は折込部１２２を備え、長手側面部１１３は折込部１２３を備え、短手側面部１１４は折込部１２４を備え、短手側面部１１５は折込部１２５を備え、それぞれ複層構造をなしている。又、折込部１２２，１２３，１２４，１２５は、折込・伸開可能に設けられる。カバー本体１１０についての、その他の詳細部分は、カバー本体１０に準じるので、説明を省略する。
【００５３】
天面用シート１３０は、カバー本体１１０の天面部１１１より僅かに小さく、天面部１１１の形状に合わせて、Ｘ軸方向の中央がくびれた形状を呈し、開口を有する枠体１０３で構成される。この天面用シート１３０は、（一例として）枠体１０３が黄色紙で形成されたシートである。天面用シート１３０には、収容物（ティシュペーパー）を取り出すためのスリットは形成されておらず、この天面用シート１３０は、好ましくは、例えば、既述の天面用シート２０と重ねて用いられる。
【００５４】
天面用シート１３０は、枠体１０３に４つの張出部１６が形成されている。これら張出部１６を、カバー本体１１０の長手側の３つに分かれた押さえ代１３２，１３３の、それぞれの間に嵌め込んで、天面用シート１３０をカバー本体１１０の天面部１１１の内面に固定することが出来る。この点を除き、天面用シート１３０のカバー本体１１０への配設方法は、既述の天面用シート２０のカバー本体１０への配設方法に準じる（省略する）。
【００５５】
カバー本体１１０及び天面用シート１３０を用い、（一例として）以下の方法によって、カートンカバーを製造することが出来る。先ず、色板紙を用意し、これを所定形状に切断し、カバー本体１１０のカートンブランクを得る（図１５を参照）。このとき、長手側面部１１２に、凸部を形成した係合部１５１ａ，１５１ｂを設け、長手側面部１１３に、凹部を形成した係合部１５１ｃ，１５１ｄを設けておく。又、押し型によって、折り曲げをするための折曲線（図１５において破線で示された部分）を形成する。更に、折込部１２４，１２５に備わる押さえ代１３４．１３５の折曲線上に、押さえ代１３４，１３５の側に僅かに張り出すように曲がった切込１７を形成する。尚、天面シート１３０は、カバー本体１１０のカートンブランクと同様に、色板紙を用意し、これを所定形状に切断して、得ることが出来る。
【００５６】
次いで、カートンブランクを折曲線に沿って折り曲げて組み立てていく。天面部１１１に対して、長手側面部１１２，１１３及び短手側面部１１４，１１５を、それぞれ折り曲げる。そして、長手側面部１１２，１１３から係合部１５１ａ，１５１ｂ，１５１ｃ，１５１ｄをそれぞれ折り曲げ、凸部を凹部に差し込んで嵌め合わせ、係合部１５１ａと係合部１５１ｃ、及び、係合部１５１ｂと係合部１５１ｄとを係合させる。
【００５７】
その後、天面用シート１３０を挿入し天面部１１１の内面に密着させてから、折込部を折り込む。即ち、長手側面部１１２，１１３及び短手側面部１１４，１１５に備わる折込部１２２，１２３，１２４，１２５を内側に折り込み、それぞれの押さえ代１３２，１３３，１３４，１３５によって押圧し、天面用シート１３０をカバー本体１１０の天面部１１１の内面に固定することによって、カートンカバーを得ることが出来る。押さえ代１３４，１３５の折曲線上には切込１７が形成されているので、天面用シート１３０を天面部１１１の内面に固定する際に、押さえ代１３４，１３５が、短手側面部１１４，１１５のエンボス加工部１４４，１４５に引っ掛かる。そのため、折込部１２４，１２５を内側に折り込み、押さえ代１３４，１３５によって押圧した後に、逆戻りし難く（自然に開いてしまうことがなく）、折り曲げ及び組み立てが容易である。尚、直方体形状のカートンカバーでは、上記切込１７の形成によって、直方体形状の角部（折曲線部分）に上記押さえ代１３４，１３５が引っ掛かる。
【産業上の利用可能性】
【００５８】
本発明に係るカートンカバーは、ティシュペーパー、キッチンペーパー等のペーパータオル、シート状のトイレットペーパー、ワッティング（紙綿）等を収納するカートンの外面を覆って、居室の雰囲気に合致させ溶け込ませるようにカートンの視覚性を改善する等の役割を果たすカートンカバーとして、好適に利用出来る。
【図面の簡単な説明】
【００５９】
【図１】本発明に係るカートンカバーの一の実施形態を示す図であり、カバー本体を組み立てる前のカートンブランクの状態の展開図である。
【図２】本発明に係るカートンカバーの一の実施形態を示す図であり、天面用シートの一例を示す平面図である。
【図３】本発明に係るカートンカバーの一の実施形態を示す図であり、天面用シートの他例を示す平面図である。
【図４】本発明に係るカートンカバーの一の実施形態を示す図であり、上方からみたカバー本体の斜視図である。
【図５】本発明に係るカートンカバーの一の実施形態を示す図であり、下方からみたカバー本体の斜視図である。
【図６】本発明に係るカートンカバーの一の実施形態を示す図であり、カバー本体の平面図である。
【図７】本発明に係るカートンカバーの一の実施形態を示す図であり、カバー本体の底面図である。
【図８】図６におけるＡＡ断面を示す断面（矢視）図である。
【図９】図６におけるＢＢ断面を示す断面（矢視）図である。
【図１０】本発明に係るカートンカバーの一の実施形態を示す図であり、カバー本体の正面図である。
【図１１】本発明に係るカートンカバーの一の実施形態を示す図であり、カバー本体の左側面図である。
【図１２】本発明に係るカートンカバーの一の実施形態を示す図であり、上方からみた斜視図である。
【図１３】本発明に係るカートンカバーの一の実施形態を示す図であり、下方からみた斜視図である。
【図１４】本発明に係るカートンカバーの一の実施形態を示す図であり、使用状態を示す断面図である。
【図１５】本発明に係るカートンカバーの他の実施形態を示す図であり、カバー本体を組み立てる前のカートンブランクの状態の展開図である。
【図１６】本発明に係るカートンカバーの他の実施形態を示す図であり、天面用シートの他例を示す平面図である。
【図１７】本発明に係るカートンカバーの他の実施形態を示す図であり、上方からみたカバー本体の斜視図である。
【図１８】本発明に係るカートンカバーの他の実施形態を示す図であり、下方からみたカバー本体の斜視図である。
【符号の説明】
【００６０】
１  カートンカバー
２，５  スリット
３，１０３  枠体
４  ウインドウフィルム
１０，１１０  カバー本体
１１，１１１  天面部  
１２，１３，１１２，１１３  長手側面部
１４，１５，１１４，１１５  短手側面部
１６  張出部
１７  切込
２０，３０，１３０  天面用シート
２１，１２１  開口
２２，２３，１２２，１２３  （長手側面部の）折込部
２４，２５，１２４，１２５  （短手側面部の）折込部
３２，３３，１３２，１３３  （長手側面部の折込部の）押さえ代
３４，３５，１３４，１３５  （短手側面部の折込部の）押さえ代
４０  ティシュペーパー
４１  ティシュペーパーカートン
４２，４３，１４２，１４３  （長手側面部の）エンボス加工部
４４，４５，１４４，１４５  （短手側面部の）エンボス加工部
５１ａ，５１ｂ，５１ｃ，５１ｄ，１５１ａ，１５１ｂ，１５１ｃ，１５１ｄ  係合部
５２ａ，５２ｂ，５２ｃ，５２ｄ  切込
【図１】
2008207832.tif 000003
【図２】
2008207832.tif 000004
【図３】
2008207832.tif 000005
【図４】
2008207832.tif 000006
【図５】
2008207832.tif 000007
【図６】
2008207832.tif 000008
【図７】
2008207832.tif 000009
【図８】
2008207832.tif 000010
【図９】
2008207832.tif 000011
【図１０】
2008207832.tif 000012
【図１１】
2008207832.tif 000013
【図１２】
2008207832.tif 000014
【図１３】
2008207832.tif 000015
【図１４】
2008207832.tif 000016
【図１５】
2008207832.tif 000017
【図１６】
2008207832.tif 000018
【図１７】
2008207832.tif 000019
【図１８】
2008207832.tif 000020